(57)【要約】【課題】液晶表示装置を壁面に取り付けた際に見栄えを損なうようなことなく、該液晶表示装置を前面側から壁面に容易に設置できる液晶表示装置取付具を提供する。【解決手段】板状をなす液晶表示装置２の背面２Ｂに設けられるパネル取付部材３と、壁面１に取り付けられて前記パネル取付部材３を支持するベース部材４と、を備えた液晶表示装置取付具１０であって、前記ベース部材４は、前記壁面１に固定される基部５と、この基部５に支持される一対の支持部６と、を備え、前記一対の支持部６のうち、一方の支持部６Ａには凹状の被係合部１１が形成され、他方の支持部６Ｂには磁気吸引される性質の金属材料又は磁性材料からなる被吸着部８Ｂが形成され、前記パネル取付部材３は、前記被係合部１１に係合する凸状の係合部１６と、磁気吸引力により前記被吸着部８Ｂに吸着する吸着部１４と、を備えることを特徴とする。【選択図】図２
2011227146.tif 000002
【特許請求の範囲】
【請求項１】
板状をなす液晶表示装置の背面に設けられるパネル取付部材と、壁面に取り付けられて前記パネル取付部材を支持するベース部材と、を備えた液晶表示装置取付具であって、
前記ベース部材は、前記壁面に固定される基部と、この基部に支持される一対の支持部と、を備え、
前記一対の支持部のうち、一方の支持部には凹状の被係合部が形成され、他方の支持部には磁気吸引される性質の金属材料又は磁性材料からなる被吸着部が形成され、
前記パネル取付部材は、前記被係合部に係合する凸状の係合部と、磁気吸引力により前記被吸着部に吸着する吸着部と、を備えることを特徴とする液晶表示装置取付具。
【請求項２】
請求項１に記載の液晶表示装置取付具であって、
前記パネル取付部材には、前記係合部が前記被係合部に係合した状態で、前記支持部に当接されてこれら係合部と被係合部との係合の解除を規制する規制部が設けられていることを特徴とする液晶表示装置取付具。
【請求項３】
請求項１又は２に記載の液晶表示装置取付具であって、
前記一対の支持部は、前記基部を間に挟むように互いに離間して設けられていることを特徴とする液晶表示装置取付具。
【発明の詳細な説明】
【技術分野】
【０００１】
本発明は、液晶表示装置取付具に関するものである。
【背景技術】
【０００２】
液晶表示装置は、ＣＲＴなどの表示装置と比べて薄型化が容易であるとともに、消費電力が小さいという特徴を有している。この種の液晶表示装置として、例えば特許文献１、２に記載されたものが知られている。このような液晶表示装置には、建物等の璧面、床面、天井等（以下、これらを総じて「壁面」とする）に取り付けて使用することへの要望がある。液晶表示装置は、その背面に設けられた配線ケーブルが制御装置と接続され、電気信号を受信することにより、液晶を駆動させて前面に表示する。また、複数の液晶表示装置同士を隣接させて配列し、大画面を構成することがある。
【先行技術文献】
【特許文献】
【０００３】
【特許文献１】特開２００９−２７１３１８号公報
【特許文献２】特開２００９−２７１３１９号公報
【発明の概要】
【発明が解決しようとする課題】
【０００４】
しかしながら、この種の液晶表示装置を壁面に取り付ける際、下記のような課題があった。
一般に、液晶表示装置を壁面に取り付けるには、例えば液晶表示装置の背面に予め取り付け用の金具を設けておき、この金具を壁面にネジ止めすることが考えられる。しかしながら、この場合、液晶表示装置を前面側から壁面に取り付ける作業が困難であった。すなわち、作業者は、液晶表示装置を支持しつつ、狭い作業領域でネジを締め込まなければならず、作業性が悪かった。
【０００５】
また、壁面に設置された液晶表示装置は、交換のために取り外されることがあるが、この交換作業の際には、前述の面倒な取り付け作業を都度行わなければならず、作業性の向上が望まれていた。また、前述のように複数の液晶表示装置２を配列して大画面を構成する場合、交換する目的の液晶表示装置のみならず、作業性確保のため、該液晶表示装置の周囲の液晶表示装置を取り外す必要が生じることもある。
【０００６】
一方、例えば液晶表示装置の側方に金具を突出させて設けるとともに、この金具に前面側からネジ止めすることも考えられるが、この場合、液晶表示装置の前面側から金具やネジが見えて、見栄えが悪くなってしまう。
【０００７】
本発明は、このような事情に鑑みてなされたものであって、液晶表示装置を壁面に取り付けた際に見栄えを損なうようなことなく、該液晶表示装置を前面側から壁面に容易に設置できる液晶表示装置取付具を提供することを目的としている。
【課題を解決するための手段】
【０００８】
前記目的を達成するために、本発明は以下の手段を提案している。
すなわち本発明は、板状をなす液晶表示装置の背面に設けられるパネル取付部材と、壁面に取り付けられて前記パネル取付部材を支持するベース部材と、を備えた液晶表示装置取付具であって、前記ベース部材は、前記壁面に固定される基部と、この基部に支持される一対の支持部と、を備え、前記一対の支持部のうち、一方の支持部には凹状の被係合部が形成され、他方の支持部には磁気吸引される性質の金属材料又は磁性材料からなる被吸着部が形成され、前記パネル取付部材は、前記被係合部に係合する凸状の係合部と、磁気吸引力により前記被吸着部に吸着する吸着部と、を備えることを特徴とする。
【０００９】
本発明に係る液晶表示装置取付具においては、ベース部材が建物等の壁面に取り付けられ、パネル取付部材が液晶表示装置の背面に配設される。そして、液晶表示装置を壁面に取り付ける際には、ベース部材の凹状の被係合部に、パネル取付部材の凸状の係合部を差し入れ係合させた状態で、ベース部材の被吸着部に、パネル取付部材の吸着部を磁気吸引力により吸着させる。
【００１０】
この液晶表示装置取付具によれば、ベース部材の被係合部とパネル取付部材の係合部とが機械的作用により係合するので、パネル取付部材がベース部材から脱落するようなことが防止されるとともに、該ベース部材に確実に支持されることとなる。これにより、液晶表示装置が壁面に強固に支持される。
【００１１】
また、ベース部材の被吸着部とパネル取付部材の吸着部とが磁気的作用により吸着するので、ベース部材とパネル取付部材との相対的な移動が防止される。これにより、液晶表示装置が壁面に安定して取り付けられるとともに、前述の係合が解除されるようなことが防止される。
このように、液晶表示装置は、壁面に対して強固に、かつ、安定して取り付けられるのである。
【００１２】
そして、この液晶表示装置取付具によれば、液晶表示装置を壁面に取り付ける作業が、該液晶表示装置の前面側から容易に行える。すなわち、例えば従来のように、液晶表示装置をネジ止めにより壁面に取り付ける場合、作業者は液晶表示装置を支持しつつ、狭い作業領域でネジを締め込まなければならず、作業が困難であった。一方、本発明によれば、パネル取付部材の係合部をベース部材の被係合部に係合させてしまえば、液晶表示装置は壁面に支持された状態となるので、作業が簡便に行える。次いで、パネル取付部材の吸着部とベース部材の被吸着部とを接近させ吸着させれば、作業が完了する。そして、このような作業は、すべて液晶表示装置の前面側から行えるので、作業性に優れている。尚、液晶表示装置の交換作業や配線接続作業についても同様に、作業が容易となる。さらに、この構成では、液晶表示装置の側方から突出するような部材を必要としないので、該液晶表示装置を壁面に取り付けた際に、見栄えが損なわれるようなこともない。
【００１３】
また、この液晶表示装置取付具によれば、液晶表示装置の取り付け位置を精度よく簡単に位置合わせできる。すなわち、係合部と被係合部とを係合させたまま、吸着部と被吸着部との吸着位置を微調整することにより、液晶表示装置の壁面に対する位置調整が容易に行える。従って、例えば、複数の液晶表示装置同士を隣接させて配列し大画面を形成するような場合であっても、隣り合う液晶表示装置同士の隙間をあけることなく精度よく設置でき、見栄えがよくなるとともに、大画面全体の画像表示品質を高めることができる。
【００１４】
また、本発明に係る液晶表示装置取付具において、前記パネル取付部材には、前記係合部が前記被係合部に係合した状態で、前記支持部に当接されてこれら係合部と被係合部との係合の解除を規制する規制部が設けられていることとしてもよい。
【００１５】
本発明に係る液晶表示装置取付具によれば、パネル取付部材には、該パネル取付部材の係合部がベース部材の被係合部に係合した状態において、支持部に当接されることによりこれら係合部と被係合部との係合の解除を規制する規制部が設けられている。詳しくは、例えば、係合部が、被係合部に係合する際に差し入れられる向きとは反対側へ向けて移動することを、規制部が規制している。従って、液晶表示装置やパネル取付部材に対して予期しない外力が作用しても、前記係合が解除されるようなことが防止されているとともに、液晶表示装置が壁面から脱落することが防止される。また、支持部に規制部が当接されていることによって、液晶表示装置の壁面に対する取り付け姿勢がより安定することとなる。
【００１６】
また、本発明に係る液晶表示装置取付具において、前記一対の支持部は、前記基部を間に挟むように互いに離間して設けられていることとしてもよい。
【００１７】
本発明に係る液晶表示装置取付具によれば、ベース部材における一対の支持部は、基部を間に挟むように互いに離間して設けられている。これにより、これら一対の支持部のうち、一方の支持部の被係合部が係合部に係合する位置と、他方の支持部の被吸着部が吸着部に吸着する位置との間隔（距離）が確保されている。このように、互いに間隔をあけた一対の支持部にパネル取付部材が支持されることにより、該パネル取付部材の装着姿勢が安定するとともに、液晶表示装置の壁面に対する取り付け姿勢が安定する。
【発明の効果】
【００１８】
本発明に係る液晶表示装置取付具によれば、液晶表示装置を壁面に取り付けた際に見栄えを損なうようなことなく、該液晶表示装置を前面側から壁面に容易に設置できる。
【図面の簡単な説明】
【００１９】
【図１】本発明の第１実施形態に係る液晶表示装置取付具を示す分解斜視図である。
【図２】図１の液晶表示装置取付具を用いて、液晶表示装置を壁面に取り付ける手順を説明する側断面図である。
【図３】図１の液晶表示装置取付具の要部を拡大して示す側断面図である。
【図４】本発明の第２実施形態に係る液晶表示装置取付具のベース部材を示す斜視図である。
【図５】本発明の第２実施形態に係る液晶表示装置取付具のパネル取付部材を示す分解斜視図である。
【図６】図５のＡ部を拡大して示す図である。
【図７】本発明の第２の実施形態に係る液晶表示装置取付具のベース部材を複数重ねた状態を示す図である。
【発明を実施するための形態】
【００２０】
（第１実施形態）
図１、図２に示すように、本発明の第１実施形態に係る液晶表示装置取付具１０は、建物内部の璧面１に液晶表示装置２を取り付けるために用いられるものである。壁面１は、床面から天井へ向けて鉛直方向に立設されている。また、液晶表示装置２は、四角形板状をなしており、その前面２Ａに画像を表示し、前面２Ａとは反対側を向く背面２Ｂを壁面１に対向させた状態で、該壁面１に設置される。液晶表示装置２は、背面２Ｂに設けられた配線ケーブル２Ｃが不図示の制御装置に接続され、電気信号を受信することにより、液晶を駆動させ前面２Ａに画像を表示する。
【００２１】
液晶表示装置取付具１０は、液晶表示装置２の背面２Ｂに設けられるパネル取付部材３と、壁面１に取り付けられてパネル取付部材３を支持するベース部材４と、を備えている。
ベース部材４は、壁面１に固定される基部５と、この基部５に支持される一対の支持部６と、を備えている。
【００２２】
基部５は、矩形板状をなしている。以下の説明においては、この基部５が延在する方向（図に符号Ｌで示す方向）を延在方向Ｌとする。また、基部５の前面５Ａ、背面５Ｂの面方向のうち、延在方向Ｌに垂直な方向（図に符号Ｗで示す方向）を幅方向Ｗとする。また、これら延在方向Ｌ及び幅方向Ｗに垂直な方向（図に符号Ｔで示す方向）を基部５の厚さ方向Ｔとする。本実施形態では、延在方向Ｌ及び厚さ方向Ｔは水平方向にそれぞれ延びており、幅方向Ｗは鉛直方向に延びている。また、厚さ方向Ｔに沿う方向のうち、基部５の前面５Ａ側を前方側、背面５Ｂ側を後方側とする。
【００２３】
基部５には、前面５Ａから背面５Ｂに貫通して取付孔５Ｃが複数形成されている。これら取付孔５Ｃは、円孔状をなしており、延在方向Ｌに沿って互いに間隔をあけて配置されている。ベース部材４は、基部５の背面５Ｂが壁面１に当接された状態で、釘やネジ等が前面５Ａから後方側へ向けて取付孔５Ｃに挿通されるとともに、該壁面１に打ち込まれたり螺合されたりすることによって、壁面１に取り付けられる。尚、ベース部材４の延在方向Ｌに沿う長さは、例えば、該ベース部材４が支持する液晶表示装置２の延在方向Ｌに沿う長さに対して同一又は若干短く設定される。
【００２４】
また、一対の支持部６は、基部５を間に挟むように互いに離間して設けられている。詳しくは、一対の支持部６は、基部５を挟んで幅方向Ｗに離間して上下に配置されている。これら支持部６は、延在方向Ｌに沿ってそれぞれ延びており、延在方向Ｌに垂直な断面がＬ字状をなしている。一対の支持部６のうち、幅方向Ｗの上側（一方側）に位置する一方の支持部６Ａは、基部５の上端部に連結されており、幅方向Ｗの下側（他方側）に位置する他方の支持部６Ｂは、基部５の下端部に連結されている。
【００２５】
支持部６は、基部５の幅方向Ｗに沿う端部に連結されるとともに前方側へ向けて立設された板状の連結部７と、該連結部７の前方側の端部に連結され基部５に平行とされた板状の受け部８と、を備えている。詳しくは、連結部７及び受け部８は矩形板状又は帯板状をなしており、延在方向Ｌに沿って延びている。また、図２の側断面視において、一方の支持部６Ａの受け部８Ａは、連結部７の前方側の端部から上側へ向かって延びており、他方の支持部６Ｂの受け部８Ｂは、連結部７の前方側の端部から下側へ向かって延びている。
【００２６】
連結部７の延在方向Ｌに沿う端部には、該連結部７を幅方向Ｗ（上下）に貫通して切欠部９が形成されている。詳しくは、切欠部９は、連結部７によって上下に区画された領域同士を連通させるように形成されている。本実施形態では、連結部７の延在方向Ｌに沿う両端部に、一対の切欠部９が形成されている。これら切欠部９は、連結部７における延在方向Ｌの外側に向けてそれぞれ開口している。切欠部９には、配線ケーブル２Ｃ等の配線部材が挿通される。
【００２７】
また、一方の支持部６Ａの受け部８Ａには、凹状の被係合部１１が複数形成されている。詳しくは、これら被係合部１１は、厚さ方向Ｔ（前後）に貫通して幅方向Ｗに延びる矩形孔状又はスリット状をなしており、延在方向Ｌに沿って互いに間隔をあけて配置されている。本実施形態においては、これら被係合部１１は、等間隔をあけて延在方向Ｌに配列されている。尚、図１では、これら被係合部１１を一部省略して記載しているが、該被係合部１１は、延在方向Ｌに沿って受け部８Ａの全長に亘り配列されている。また、被係合部１１の内面のうち下端は、受け部８Ａの下端部（連結部７）から上側に離間した位置に配されている。
【００２８】
また、他方の支持部６Ｂの受け部８Ｂは、磁気吸引される性質の金属材料又は磁性材料からなり、本実施形態では例えば鉄や鋼材等により形成されている。この受け部８Ｂは、パネル取付部材３の後述する吸着部１４に吸着される被吸着部とされている。本実施形態においては、ベース部材４全体が鉄や鋼材等で形成されているとともに剛体とされ、該ベース部材４全体が磁気吸引される性質を有している。
【００２９】
また、パネル取付部材３は、液晶表示装置２の背面２Ｂの形状に対応するように四角形板状に形成された取付本体１２と、取付本体１２の背面１２Ｂから後方側へ向けて突設された略Ｃ字板状の突起部１３と、背面１２Ｂに配設された円板状の吸着部１４と、を備えている。
【００３０】
取付本体１２は、その前方側を向く前面１２Ａが液晶表示装置２の背面２Ｂに対向して取り付けられることにより、該液晶表示装置２を支持可能とされている。また、取付本体１２には、前面１２Ａ（背面１２Ｂ）の略中央に位置するとともに厚さ方向Ｔに貫通して、四角形孔状の貫通孔１２Ｃが形成されている。貫通孔１２Ｃには、液晶表示装置２の配線ケーブル２Ｃ等が挿通される。
【００３１】
また、突起部１３は、背面１２Ｂにおける貫通孔１２Ｃの上側部分に配置されており、延在方向Ｌに間隔をあけて一対設けられている。詳しくは、これら突起部１３は、背面１２Ｂに取り付けられた矩形板状の支持体１５の両端部から後方側へ向けてそれぞれ立設されている（図５参照）。
【００３２】
図３に示すように、突起部１３は、その幅方向Ｗの上端部から後方側へ向けて突出するとともに、被係合部１１に係合する凸状の係合部１６と、幅方向Ｗの下端部から後方側へ向けて突出する突起状の規制部１７と、を備えている。
【００３３】
係合部１６は、略扇形板状をなしており、その上側部分が突起部１３に一体に連結される一方で、下側部分は突起部１３から離間されている。詳しくは、前記下側部分と突起部１３（突起部本体）との間は略台形状に切り欠かれており、係合部１６には、この台形の上底部分に対応するように奥面１６Ａが形成されている。図３（ｂ）において、奥面１６Ａの厚さ方向Ｔに沿う寸法（幅）は、受け部８Ａの厚さ方向Ｔに沿う寸法（厚さ）と略同一に設定されている。
【００３４】
図３の側面視において、係合部１６は、その外周縁が後方側へ向けて膨出するように凸曲線状をなしており、該外周縁の上端は突起部１３の上端縁に滑らかに連なっている。また、係合部１６には、前記外周縁の下端から扇形中心に向かうように延びて前方側を向くテーパ面１６Ｂが形成されている。詳しくは、テーパ面１６Ｂは、前記外周縁の下端から上側へ向かうに従い漸次前方側へ向かって傾斜しており、その上端は奥面１６Ａの後方側の端部に連なっている。
【００３５】
また、係合部１６の幅方向Ｗに沿う外形寸法は、被係合部１１の幅方向Ｗに沿う内形寸法よりも小さく設定されている。また、係合部１６の延在方向Ｌに沿う外形寸法（厚さ）は、被係合部１１の延在方向Ｌに沿う内形寸法（溝幅）よりも小さく設定されている。
【００３６】
また、規制部１７は、略四角形板状をなしており、その前方側の端部が突起部１３に一体に連結されているとともに、該規制部１７の下端縁は突起部１３（突起部本体）の下端縁に面一とされている。また、規制部１７の上端縁における突起部１３との連結部分は、略円形状又は略扇形状に切り欠かれている。また、規制部１７が突起部１３から後方側へ向けて突出する高さは、係合部１６における前記高さと略同一に設定されている。
【００３７】
図３（ｂ）に示すように、係合部１６が被係合部１１に挿入されて係合した状態で、規制部１７は、その上端縁が支持部６Ａの連結部７の下面に当接するように設定されている。また、前述の当接によって、これら係合部１６と被係合部１１との係合の解除が規制されている。詳しくは、規制部１７の上端縁が連結部７に当接することによって、該規制部１７に一体とされた係合部１６が受け部８Ａの被係合部１１に対して上側へ向けて移動するようなことが規制されている。
また、係合部１６が被係合部１１に係合した状態で、突起部１３（突起部本体）の後方側を向く面１３Ａは、受け部８Ａの前方側を向く面に当接されている。
【００３８】
また、吸着部１４は、取付本体１２の背面１２Ｂにおける貫通孔１２Ｃの下側部分に配置されており、延在方向Ｌに間隔をあけて一対設けられている。吸着部１４は、少なくともその後方側を向く面が永久磁石（マグネット）からなり、磁気吸引力により受け部（被吸着部）８Ｂに吸着するように形成されている。
【００３９】
次に、液晶表示装置取付具１０を用いて、液晶表示装置２を壁面１に取り付ける手順について説明する。
まず、壁面１にベース部材４を取り付け、液晶表示装置２にパネル取付部材３を取り付ける。
【００４０】
次いで、図２（ａ）に示すように、パネル取付部材３及び液晶表示装置２と、ベース部材４及び壁面１とを互いに接近させた状態で、配線ケーブル２Ｃ等の配線部材を結線して、液晶表示装置２と制御装置とを電気的に接続させる。
【００４１】
次いで、パネル取付部材３の上側部分が下側部分よりも後方側に位置するように該パネル取付部材３及び液晶表示装置２を傾斜させた状態で、図３（ａ）に示すように、パネル取付部材３の係合部１６を、ベース部材４の被係合部１１に差し入れる。そして、係合部１６の下端が被係合部１１内を通過して受け部８Ａよりも後方側の領域に移動したら、該係合部１６を被係合部１１に対して幅方向Ｗの下側へ向けて移動させる。この移動によって、図２（ｂ）に示すように、係合部１６の奥面１６Ａと被係合部１１の内面における下端とが互いに接近した状態となるとともに、規制部１７が、後方側へ向けて連結部７の下側の領域へ移動可能となる。
【００４２】
次いで、係合部１６の奥面１６Ａ付近を中心にパネル取付部材３を回動させるようにして、該パネル取付部材３の下側部分を後方側へ向けて移動させていく。これにより、吸着部１４が受け部８Ｂへ向けて後方側へ移動していくとともにこれらが互いに接近して、図２（ｃ）に示すように、吸着部１４と受け部８Ｂとが吸着される。これにより、パネル取付部材３は、ベース部材４に固定される。またこの状態で、図３（ｂ）に示すように、規制部１７の上端縁は、連結部７の下面に当接される。
【００４３】
以上説明したように、本実施形態に係る液晶表示装置取付具１０によれば、ベース部材４の被係合部１１とパネル取付部材３の係合部１６とが機械的作用により係合するので、パネル取付部材３がベース部材４から脱落するようなことが防止されるとともに、該ベース部材４に確実に支持されることとなる。これにより、液晶表示装置２が壁面１に強固に支持される。また、図３（ｂ）に示すように、奥面１６Ａの幅が、受け部８Ａの厚さと略同一に設定されているので、テーパ面１６Ｂと面１３Ａとの間に受け部８Ａが挟み込まれるように係合することとなって、突起部１３の受け部８Ａに対する厚さ方向Ｔ及び幅方向Ｗの位置が精度よく安定して決まるとともに、パネル取付部材３がベース部材に確実に固定される。
【００４４】
また、ベース部材４の受け部８Ｂとパネル取付部材３の吸着部１４とが磁気的作用により吸着するので、ベース部材４とパネル取付部材３との相対的な移動が防止される。これにより、液晶表示装置２が壁面１に安定して取り付けられるとともに、前述の係合が解除されるようなことが防止される。
このように、パネル取付部材３とベース部材４とは、互いに延在方向Ｌ、幅方向Ｗ、厚さ方向Ｔ、及び、これらの合成方向への相対移動が規制されていることから、液晶表示装置２は、壁面１に対して強固に、かつ、安定して取り付けられるのである。
【００４５】
そして、この液晶表示装置取付具１０によれば、液晶表示装置２を壁面１に取り付ける作業が、該液晶表示装置２の前面２Ａ側から容易に行える。すなわち、パネル取付部材３の係合部１６をベース部材４の被係合部１１に係合させてしまえば、液晶表示装置２は壁面１に支持された状態となるので、作業が簡便に行える。次いで、パネル取付部材３の吸着部１４とベース部材４の受け部８Ｂとを接近させ吸着させれば、作業が完了する。そして、このような作業は、すべて液晶表示装置２の前面２Ａ側から行えるので、作業性に優れている。尚、液晶表示装置２の交換作業や配線接続作業についても同様に、作業が容易となる。さらに、液晶表示装置２の側方（延在方向Ｌや幅方向Ｗの端部）から突出するような部材を必要としないので、該液晶表示装置２を壁面１に取り付けた際に、見栄えが損なわれるようなこともない。
【００４６】
また、この液晶表示装置取付具１０によれば、液晶表示装置２の取り付け位置を精度よく簡単に位置合わせできる。すなわち、係合部１６と被係合部１１とを係合させたまま、吸着部１４と受け部８Ｂとの吸着位置を微調整することにより、液晶表示装置２の壁面１に対する位置調整を容易に行える。尚、液晶表示装置２の延在方向Ｌへの調整範囲を確保するには、被係合部１１の溝幅を係合部１６の厚さに対して大きく設定すればよい。また、幅方向Ｗへの調整範囲を確保するには、図３（ｂ）において、係合部１６の奥面１６Ａから規制部１７の上端縁までの距離を、該奥面１６Ａが当接される被係合部１１の内面（下端の面）から連結部７の下面までの距離に対して大きく設定すればよい。
尚、壁面１に設置した液晶表示装置２を延在方向Ｌに比較的大きく移動させたい場合は、係合部１６を被係合部１１から引き抜いて、液晶表示装置２を延在方向Ｌにスライド移動させ、該係合部１６を別の被係合部１１に対して係合させればよい。
【００４７】
従って、例えば、複数の液晶表示装置２同士を隣接させて配列し大画面を形成するような場合であっても、隣り合う液晶表示装置２同士の隙間をあけることなく精度よく設置でき、見栄えがよくなるとともに、大画面全体の画像表示品質を高めることができる。尚、複数の液晶表示装置２を用いて大画面を構成する場合は、予め、大画面の大きさに応じて、ベース部材４の延在方向Ｌに沿う長さを設定するとともに、複数のベース部材４を幅方向Ｗに間隔をあけて並列に配置すればよい。本実施形態の液晶表示装置取付具１０の構成によれば、例えば、複数の液晶表示装置２が延在方向Ｌ及び幅方向Ｗに密集して壁面１に配列される場合であっても、目的の液晶表示装置２（例えば故障したもの）のみを容易に交換可能である。
【００４８】
また、パネル取付部材３には、該パネル取付部材３の係合部１６がベース部材４の被係合部１１に係合した状態において、支持部６Ａに当接されることによりこれら係合部１６と被係合部１１との係合の解除を規制する規制部１７が設けられている。詳しくは、係合部１６は、被係合部１１に係合する際、該被係合部１１内に差し入れられるとともに幅方向Ｗの下側へ向けて移動させられている。規制部１７は、係合部１６が被係合部１１に対して係合する際とは反対の、幅方向Ｗの上側へ向けて移動することを規制している。従って、例えば地震等により液晶表示装置２やパネル取付部材３に対して予期しない外力が作用しても、前記係合が解除されるようなことが防止されているとともに、液晶表示装置２が壁面１から脱落することが防止される。また、支持部６Ａに規制部１７が当接されていることによって、液晶表示装置２の壁面１に対する取り付け姿勢がより安定することとなる。
【００４９】
また、ベース部材４における一対の支持部６は、基部５を間に挟むように互いに離間して設けられている。これにより、これら一対の支持部６のうち、一方の支持部６Ａの被係合部１１が係合部１６に係合する位置と、他方の支持部６Ｂの受け部８Ｂが吸着部１４に吸着する位置との間隔（幅方向Ｗの距離）が確保されている。このように、互いに間隔をあけた一対の支持部６にパネル取付部材３が支持されることにより、該パネル取付部材３の装着姿勢が安定するとともに、液晶表示装置２の壁面１に対する取り付け姿勢が安定する。
【００５０】
（第２実施形態）
次に、本発明の第２実施形態に係る液晶表示装置取付具２０について、図４〜図７を参照して説明する。尚、前述の実施形態と同一部材には同一の符号を付し、その説明を省略する。
【００５１】
図４に示すように、本実施形態の液晶表示装置取付具２０では、ベース部材４の基部５における取付孔５Ｃが、延在方向Ｌに沿って間隔をあけて配列されているとともに、このような取付孔５Ｃの列が、幅方向Ｗに間隔をあけて複数設けられている。図示する例では、取付孔５Ｃの列が上下に一対設けられている。そして、上側に位置して中心線Ｃ１に沿う一方の列における取付孔５Ｃと、下側に位置して中心線Ｃ２に沿う他方の列における取付孔５Ｃとが、互いに幅方向Ｗに対応しないように配置されている。詳しくは、中心線Ｃ１（Ｃ２）に沿って列をなす取付孔５Ｃのうち隣り合う取付孔５Ｃ同士の中間に対応する中心線Ｃ２（Ｃ１）上に、該中心線Ｃ２（Ｃ１）に沿って列をなす取付孔５Ｃが配置されている。すなわち、これら取付孔５Ｃは、全体として略千鳥状に配置されている。
【００５２】
また、この液晶表示装置取付具２０では、ベース部材４の一対の支持部２６が、基部５を挟んで互いに対称形状とされている。
支持部２６は、基部５の幅方向Ｗに沿う端部に連結され、前方側へ向かうに従い漸次幅方向Ｗのうち基部５から離間する方向へ向かって傾斜して立設された板状の連結部２７と、該連結部２７の前方側の端部に連結され基部５に平行とされた板状の受け部２８と、該受け部２８における連結部２７とは反対側の端部から後方側へ向けて立設された板状の補強部２５と、を備えている。詳しくは、連結部２７、受け部２８及び補強部２５はそれぞれ矩形板状又は帯板状をなしており、延在方向Ｌに沿って延びている。
【００５３】
受け部２８には、被係合部１１が複数形成されており、これら被係合部１１は、延在方向Ｌに沿って互いに間隔をあけて配置されている。また、受け部２８は、磁気吸引される性質の金属材料又は磁性材料からなるとともに、吸着部１４に吸着される被吸着部とされている。すなわち、一対の受け部２８が、それぞれ被係合部１１を有しているとともに、それぞれ被吸着部とされているのである。
【００５４】
また、支持部２６には、該支持部２６の前方側へ開口して切欠部２９が形成されている。詳しくは、切欠部２９は、受け部２８及び補強部２５を延在方向Ｌに分断するように切り欠くとともに、連結部２７を受け部２８側の端部から後方側へ向けて該連結部２７の中央部まで切り欠くように形成されている。また、切欠部２９のうち、連結部２７に位置する部位は、後方側へ向かうに従い漸次延在方向Ｌの内形寸法（幅）を増大させるように、略台形状に形成されている。切欠部２９は、連結部２７によって上下に区画された領域同士を連通させるように形成されている。この切欠部２９には、配線ケーブル２Ｃ等の配線部材が挿通される。
【００５５】
また、図５に示すように、パネル取付部材３は、液晶表示装置２の背面２Ｂの形状に対応するように四角形板状に形成された底板２１を備えている。また、パネル取付部材３は、底板２１を収容可能な四角形箱状をなす取付本体２２を備えている。
【００５６】
底板２１は、その前方側を向く前面２１Ａが液晶表示装置２の背面２Ｂに当接され、後方側を向く背面２１Ｂが取付本体２２の前面１２Ａに当接された状態で、該取付本体２２内に固定される。また、底板２１には、前面２１Ａ（背面２１Ｂ）の略中央に位置するとともに厚さ方向Ｔに貫通して、四角形孔状の貫通孔２１Ｃが形成されている。貫通孔２１Ｃには、液晶表示装置２の配線ケーブル２Ｃ等が挿通される。尚、底板２１は、液晶表示装置２の前面２Ａの高さ調整のために複数用いたり厚さを変えて用いたりしてもよい。
【００５７】
また、取付本体２２は、四角形板状の基板２２Ａと、該基板２２Ａの端部から前方側へ向けて立設する側板２２Ｂと、を備えている。図示の例では、側板２２Ｂは、基板２２Ａの延在方向Ｌにおける両端部及び幅方向Ｗにおける両端部に、二対設けられている。このような構成により、取付本体２２は、前方側に開口された四角形箱状をなしている。また、取付本体２２において、互いに向かい合う側板２２Ｂ同士の間隔は、底板２１及び液晶表示装置２を収容可能な寸法とされている。
【００５８】
また、図６に示すように、隣り合う側板２２Ｂ同士の間の部分は切り欠かれており、この部分が、角切欠部２３とされている。角切欠部２３は、取付本体２２の基板２２Ａの四隅に対応して形成されている。角切欠部２３は、側板２２Ｂから延在方向Ｌ及び幅方向Ｗにそれぞれ隙間Ｇだけ切り欠かれるように形成されており、本実施形態ではこの隙間Ｇが０．５ｍｍ程度とされている。
【００５９】
以上説明したように、本実施形態に係る液晶表示装置取付具２０によれば、前述の実施形態で説明した効果が得られるとともに、下記の効果を奏する。
すなわち、ベース部材４の取付孔５Ｃが、延在方向Ｌに沿って間隔をあけて配列されているとともに、このような取付孔５Ｃの列が、幅方向Ｗに間隔をあけて複数設けられている。これにより、パネル取付部材３を支持した際にベース部材４が受ける重さのバランスや取り付け強さ等により、該ベース部材４の基部５が捩れて壁面１から部分的に離間するようなことが防止される。特に、本実施形態のように、取付孔５Ｃが千鳥状に配置された場合には、基部５の前述した捩れが確実に防止されるとともに、該基部５が壁面１に対してより強固に支持されることとなる。
【００６０】
また、ベース部材４の一対の支持部２６が、基部５を挟んで対称形状とされている。すなわち、一対の支持部２６のうち、いずれか一方の支持部２６の被係合部１１に係合部１６が係合され、他方の支持部２６の受け部２８に吸着部１４が吸着することにより、パネル取付部材３がベース部材４に固定される。この構成によれば、パネル取付部材３（及び液晶表示装置２）を上下反転させて壁面１に取り付けることが可能であり、施工性が向上する。また、ベース部材４を壁面１に取り付ける際に、作業者が上下に係わらず設置でき、作業性が向上する。
【００６１】
また、受け部２８には、連結部２７とは反対側の端部に補強部２５が連結されているとともに、該補強部２５は、受け部２８の面方向とは異なる後方側へ向けて立設されている。これにより、受け部２８の機械的強度が高められているとともに、該受け部２８が外力等により変形するようなことが防止される。従って、例えば、液晶表示装置２を配置替えしたり交換したりする際に、作業を誤って受け部２８に外力が加わったとしても、該受け部２８が変形するようなことがなく、前述した係合及び吸着が長期に亘り安定して行える。
【００６２】
また、連結部２７が、基部５の幅方向Ｗに沿う端部から前方側へ向かうに従い漸次幅方向Ｗのうち基部５から離間する方向へ向かって傾斜して形成されている。これにより、図７に示すように、ベース部材４を厚さ方向Ｔに重ねてコンパクトに収容することが可能である。従って、管理スペースを縮小でき、作業性が向上する。
【００６３】
また、切欠部２９が、支持部２６の前方側へ開口して形成されているので、配線の取り回し作業等が、受け部２８の前面側から容易に行える。また、切欠部２９のうち連結部２７に位置する部位が、後方側へ向かうに従い漸次延在方向Ｌの幅を増大させるように形成されているので、該切欠部２９に収容した配線等が、予期せず受け部２８の前面側へ向けて飛び出すようなことが防止される。
【００６４】
また、取付本体２２が四角形箱状に形成されているとともに、基板２２Ａから立設する側板２２Ｂを備えているので、該取付本体２２に液晶表示装置２を収容した際、側板２２Ｂが該液晶表示装置２の端部を保護することになる。従って、液晶表示装置２の端部が傷付いたり破損したりするようなことが防止される。
【００６５】
また、複数の液晶表示装置２を用い、これらを隣接して配列して大画面を構成するような場合に、隣り合う液晶表示装置２の対向する側板２２Ｂ同士を当接させることによって、これら液晶表示装置２同士の隙間が均等となる。すなわち、例えば、液晶表示装置２の外形寸法に製造上の誤差があったとしても、該液晶表示装置２が取付本体２に収容されることにより、パネル取付部材３全体としての外形寸法が一様に決まる。従って、大画面全体の見栄えや画像表示品質を高めることができる。
【００６６】
また、取付本体２２の基板２２Ａの四隅に対応して角切欠部２３が形成されているので、液晶表示装置２は、その側方（延在方向Ｌ及び幅方向Ｗ）を向く端面を側板２２Ｂに当接させるようにして、取付本体２２内に精度よく収容されることになる。詳しくは、取付本体２２に角切欠部２３を形成しない場合、該取付本体２２の内面における基板２２Ａの四隅には、凹曲面状の部分が形成されることとなり、液晶表示装置２の鋭利な角状の四隅（又は底板２１の四隅）がこの部分に当たってしまう。この場合、取付本体２２に対する液晶表示装置２の位置が定まらず、液晶表示装置２を壁面１に設置した際に見栄えが悪くなってしまう。一方、本実施形態の構成によれば、液晶表示装置２が取付本体２２内に精度よく収容されて、壁面１に設置された際の見栄えが高められる。
【００６７】
尚、本発明は前述の実施形態に限定されるものではなく、本発明の趣旨を逸脱しない範囲において種々の変更を加えることができる。
例えば、前述の実施形態では、液晶表示装置取付具１０、２０は、建物内部において鉛直方向に立設された璧面１に液晶表示装置２を取り付けるために用いられるとしたが、これに限定されるものではない。すなわち、壁面１は、鉛直方向に立設されたものに限られず、天井、床面又はそれ以外の架台等をも含む概念である。また、このような壁面１が、建物外部に設置されていてもよい。
【００６８】
また、液晶表示装置２は、四角形板状をなしているとしたが、これに限定されるものではない。すなわち、液晶表示装置２は、四角形板状以外の多角形板状や円板状、楕円板状等であっても構わない。この場合、液晶表示装置２を支持するパネル取付部材３の取付本体１２、２２、及び、底板２１は、該液晶表示装置２の形状に対応した形状に設定される。
【００６９】
また、ベース部材４の基部５の延在方向Ｌは、壁面１の面方向のうち水平方向に延びていることとしたが、これに限定されるものではない。すなわち、基部５の延在方向Ｌは、壁面１の面方向のうち鉛直方向やそれ以外の傾斜方向に延びていてもよい。
【００７０】
また、係合部１６と被係合部１１とは、互いに機械的作用により係合されていればよく、前述の実施形態で説明した形状に限定されるものではない。
また、被吸着部８Ｂ（２８）が磁気吸引される性質の金属材料からなり、吸着部１４が永久磁石（磁性材料）を備えていることにより、これらが互いに磁気吸引力で吸着することとしたが、これに限定されるものではない。すなわち、例えば、前述の実施形態とは反対に、被吸着部８Ｂ（２８）が磁性材料からなり、吸着部１４が磁気吸引される性質の金属材料からなることとしてもよい。或いは、被吸着部８Ｂ（２８）及び吸着部１４がともに磁性材料からなり、これらが互いにＮ極とＳ極に設定されて吸着するように構成されていてもよい。
【００７１】
また、第１実施形態においては、突起部１３の規制部１７が、一方の支持部６Ａに当接されることにより、係合部１６と被係合部１１との係合の解除を規制することとしたが、これに限定されるものではない。すなわち、規制部１７は、他方の支持部６Ｂに当接されて、前述の係合の解除を規制することとしてもよい。
【００７２】
また、規制部１７が突起部１３の面１３Ａから後方側へ向けて突出する高さは、係合部１６における前記高さと略同一であるとしたが、これに限定されるものではない。すなわち、例えば、規制部１７の前記高さを係合部１６の前記高さよりも高く設定することとしてもよく、この場合、前述した係合の解除を規制する効果がより確実に得られる。
【符号の説明】
【００７３】
１  壁面
２  液晶表示装置
２Ｂ  液晶表示装置の背面
３  パネル取付部材
４  ベース部材
５  基部
６、２６  支持部
６Ａ  一方の支持部
６Ｂ  他方の支持部
８Ｂ、２８  受け部（被吸着部）
１０、２０  液晶表示装置取付具
１１  被係合部
１４  吸着部
１６  係合部
１７  規制部
【図１】
2011227146.tif 000003
【図２】
2011227146.tif 000004
【図３】
2011227146.tif 000005
【図４】
2011227146.tif 000006
【図５】
2011227146.tif 000007
【図６】
2011227146.tif 000008
【図７】
2011227146.tif 000009